(57)【要約】【課題】隣接する二部屋の間の空間を高い自由度で仕切って各部屋の側から使い分けることができる間仕切り構造を提供する。【解決手段】間仕切り構造１００は、隣接する部屋１０１と部屋１０２との間に、上方側に位置して一方の部屋１０１の使用対象となる第１空間１と、上記第１空間の下方に位置して上記一方の部屋１０１の使用対象となる第２空間２と、上記第１空間１の下方に位置して他方の部屋１０２の使用対象となる第３空間３と、が少なくとも形成された構造を有する。上記第２空間２と上記第３空間３のうちの一方の空間の奥行きを大きくして他方の空間の奥行きを小さくするなどにより、隣接する二部屋の間の空間を高い自由度で仕切って各部屋の側から使い分けることができる。【選択図】図１
2014066106.tif 000002
【特許請求の範囲】
【請求項１】
隣接する二部屋の間に、上側に位置して一方の部屋の使用対象となる第１空間と、上記第１空間の下方に位置して上記一方の部屋の使用対象となる第２空間と、上記第１空間の下方に位置して他方の部屋の使用対象となる第３空間と、が少なくとも形成されていることを特徴とする間仕切り構造。
【請求項２】
請求項１に記載の間仕切り構造において、上記隣接する二部屋を仕切って上記第２空間と上記第３空間を形成する第１パネルと、上記第１パネルの上端に水平に位置して上記第１空間の床部を形成する第２パネルと、上記第２パネルの縁側に設けられて上記第１空間の奥壁となる第３パネルと、を有することを特徴とする間仕切り構造。
【請求項３】
請求項１または請求項２に記載の間仕切り構造において、上記第１空間と上記第２空間とによってクローゼットが構成されていることを特徴とする間仕切り構造。
【請求項４】
請求項１〜請求項３のいずれか１項に記載の間仕切り構造において、上記他方の部屋がトイレルームとされ、上記第３空間が壁面と便器との間の空間を形成していることを特徴とする間仕切り構造。
【請求項５】
請求項１〜請求項３のいずれか１項に記載の間仕切り構造において、上記第２空間と上記第３空間を連通させる１または複数の開口部を有することを特徴とする間仕切り構造。
【発明の詳細な説明】
【技術分野】
【０００１】
この発明は、隣接する二部屋の間の空間が収納用空間などに利用できる間仕切り構造に関する。
【背景技術】
【０００２】
特許文献１には、間仕切りとして配置され、薄型大画面テレビが収納されると共に、薄型大画面テレビの背面側からも使い勝手のよい間仕切り構造が開示されている。具体的には、仕切り板によって仕切られた内部のリビング側が正面収納部を構成し、ダイニング側が背面収納部を構成している。また、ダイニング側からは天板の上面をカウンターとして利用する。天板の上面をカウンターとして、その下方にリビング側である正面及びダイニング側である背面の双方から使用される床面と床面との高低差を利用した収納が設置される。
【先行技術文献】
【特許文献】
【０００３】
【特許文献１】特開２００９−２７３９３１号公報
【発明の概要】
【発明が解決しようとする課題】
【０００４】
しかしながら、上記従来の間仕切り構造は、リビングの側とダイニングの側の床の高低差で規制される固定的な間仕切り構造となるものであった。
【０００５】
この発明は、上記の事情に鑑み、隣接する二部屋の間の空間を高い自由度で仕切って各部屋の側から使い分けることができる間仕切り構造を提供することを課題とする。
【課題を解決するための手段】
【０００６】
この発明の間仕切り構造は、上記の課題を解決するために、隣接する二部屋の間に、上側に位置して一方の部屋の使用対象となる第１空間と、上記第１空間の下方に位置して上記一方の部屋の使用対象となる第２空間と、上記第１空間の下方に位置して他方の部屋の使用対象となる第３空間と、が少なくとも形成されていることを特徴とする。
【０００７】
上記の構成であれば、例えば、上記第２空間と上記第３空間のうちの一方の空間の奥行きを大きくして他方の空間の奥行きを小さくしたり、さらには上記第１空間の縦寸法を大きくして上記第２、第３空間の縦寸法を小さくするなどにより、隣接する二部屋の間の空間を高い自由度で仕切って各部屋の側から使い分けることができる。
【０００８】
上記隣接する二部屋を仕切って上記第２空間と上記第３空間を形成する第１パネルと、上記第１パネルの上端に水平に位置して上記第１空間の床部を形成する第２パネルと、上記第２パネルの縁側に設けられて上記第１空間の奥壁となる第３パネルと、を有してもよい。これによれば、上記３つの空間を容易に構築できるとともに、上記第１パネルの配置によって、上記第２空間と上記第３空間のうちの一方の空間の奥行きを大きくして他方の空間の奥行きを小さくすることが簡単に行えることになる。
【０００９】
また、上記第１空間と上記第２空間とによってクローゼットが構成されていてもよい。これによれば、奥行きの深い収納箱を上記第１空間に収納し、奥行きの狭い収納箱を上記第２空間の床上に収納し、さらに上記２空間の上部側をハンガー掛けに利用することなどができる。
【００１０】
また、上記他方の部屋がトイレルームとされ、上記第３空間が壁面と便器との間の空間を形成してもよい。これにより、比較的狭い空間をトイレルームとして利用することが容易になる。
【００１１】
上記第２空間と上記第３空間を連通させる１または複数の開口部を有していてもよい。これによれば、例えば、上記一方の部屋の使用対象となる第２空間をクローゼットとし、上記他方の部屋の使用対象となる第３空間を利用してテレビジョンモニタおよびレコーダーなどを配置するときに、上記テレビジョンモニタとレコーダーとを接続するコードを上記開口部に通して上記クローゼットの側から取り回すことができ、機器接続の容易化と上記第３空間側の見た目のすっきり感を得ることが可能になる。
【発明の効果】
【００１２】
本発明の間仕切り構造であれば、隣接する二部屋の間の空間を高い自由度で仕切って各部屋の側から使い分けることができるという効果を奏する。
【図面の簡単な説明】
【００１３】
【図１】この発明の実施形態の間仕切り構造を示した側面図である。
【図２】この発明の他の実施形態の間仕切り構造を示した側面断面図である。
【図３】図４のＢ−Ｂ断面図である。
【図４】図２のＡ−Ａ断面図である。
【図５】同図（Ａ）は石こうボードを取り外した第１パネルの正面図であり、同図（Ｂ）は同第２パネルの平面図であり、同図（Ｃ）は同第３パネルの正面図である。
【図６】同図（Ａ）はこの発明の他の実施形態の間仕切り構造を示した側面図であり、同図（Ｂ）は同平面図である。
【図７】この発明の他の実施形態の間仕切り構造を示した側面図である。
【図８】この発明の他の実施形態の間仕切り構造を示した側面図である。
【発明を実施するための形態】
【００１４】
以下、この発明の実施の形態を添付図面に基づいて説明する。
図１に示すように、この発明の実施形態の間仕切り構造１００は、隣接する部屋１０１と部屋１０２との間に、上方側に位置して一方の部屋１０１の使用対象となる第１空間１と、上記第１空間１の下方に位置して上記一方の部屋１０１の使用対象となる第２空間２と、上記第１空間１の下方に位置して他方の部屋１０２の使用対象となる第３空間３と、が少なくとも形成された構造を有する。この間仕切り構造１００における図１上での横幅（奥行き）の寸法は、例えば規定寸法である９１０ｍｍとされる。そして、第２空間２の側の横幅（奥行き）をｄ１、第３空間３の側の横幅（奥行き）をｄ２とすると、例えば、ｄ１＝４５５ｍｍ、ｄ２＝４５５ｍｍの組み合わせ、ｄ１＝６１０ｍｍ、ｄ２＝３００ｍｍの組み合わせ、ｄ１＝６８２．５ｍｍ、ｄ２＝２２７．５ｍｍの組み合わせなどが選択される。図１の間仕切り構造１００では、ｄ１＝６８２．５ｍｍ、ｄ２＝２２７．５ｍｍの組み合わせになっている。
【００１５】
上記第１空間１は、枕棚のようにして利用することができる。この第１空間１の下面の高は例えば床から１９００ｍｍ程度に設定され、奥行きは例えば６５０ｍｍ程度とされる。また、上記第２空間２にはハンガーパイプ２１が設けられている。さらに、上記第２空間２の床上には収納箱２２などを置くことができる。上記第１空間１と第２空間２とによってクローゼットが構成される。また、上記第３空間３は他方の部屋１０２の側の書棚などとして利用することができる。
【００１６】
上記間仕切り構造１００は、上記隣接する二部屋１０１、１０２を仕切って上記第２空間２と上記第３空間３を形成する第１パネル１１と、上記第１パネル１１の上端に位置して上記第１空間１の床部を形成する第２パネル１２と、上記第２パネル１２の縁側に設けられて上記第１空間１の奥壁となる第３パネル１３と、を有する。上記第１パネル１１および上記第３パネル１３の両面には、石こうボードが貼り付けられている。また、上記第２パネル１２の下面にも石こうボードが貼り付けられている。
【００１７】
図２は他の実施形態の間仕切り構造１００Ａを示している。この間仕切り構造１００Ａは、図１に示した間仕切り構造１００に比べて、第２空間２の奥行きが狭く、その分、第３空間３の奥行きが広くなっている。具体的には、上記のｄ１＝４５５ｍｍ、ｄ２＝４５５ｍｍの組み合わせとなっている。また、１Ｐを９１０ｍｍとすると、上記間仕切り構造１００Ａの横幅は２Ｐに設定されており、例えば１Ｐ幅の第１パネル１１が２枚用いられる。上記第３空間の横幅方向中央の床位置には、高さが４５０ｍｍ程度で幅が８０ｍｍ程度のパネル３１が設けられている。そして、図３にも示すように、上記パネル３１を土台にして横幅２Ｐとなるカウンター３２、３３が２段で配置されている。この間仕切り構造１００Ａでは、上記他方の部屋１０２はリビングルームとして用いられ、上記第３空間には、上側のカウンター３２を土台にして薄型の大画面テレビジョンモニタを配置できるようにしている。また、上記第１パネル１１の第３空間３の側には、家電製品に用いるコンセントが設けられる。
【００１８】
また、図４に示すように、上記間仕切り構造１００Ａにおける第２空間２の側には、この第２空間２を開閉するための折戸２２が設けられている。なお、この図４において、左側の面には界壁または外壁が設けられる。
【００１９】
１Ｐ幅の上記第１パネル１１における石こうボードが取り外された状態の正面形状は、例えば、図５（Ａ）に示すようであり、２Ｐ幅の上記第２パネル１２における石こうボードが取り外された状態の平面形状は、例えば、図５（Ｂ）に示すようであり、１Ｐ幅の上記第３パネル１３における石こうボードが取り外された状態の正面形状は、例えば、図５（Ｃ）に示すようである。上記第２パネル１２の下面となる側には支持板１２ａが設けられている。例えば、この支持板１２ａの奥行き幅の範囲内で上記第１パネル１１を位置変更して当該第１パネル１１を上記支持板１２ａに固定することができる。
【００２０】
また、図６（Ａ）および図６（Ｂ）に示すように、他の実施形態の間仕切り構造１００Ｂでは、他方の部屋１０２がトイレルームとされている。この構造の場合、トイレルーム内での上記第３空間３によって壁面と便器４との間に空間が形成される。また、この間仕切り構造１００Ｂでは、上記のｄ１＝４５５ｍｍ、ｄ２＝４５５ｍｍの組み合わせとなっている。
【００２１】
また、図７に示すように、他の実施形態の間仕切り構造１００Ｃは、他方の部屋１０２がリビングルーム等として利用される場合に、上記第１パネル１１の表面にホームコントローラー５が配置された例である。このホームコントローラー５は電動雨戸、照明、インターフォンなどの制御を行うものである。さらに、ホームセキュリティー会社から貸与されたコントローラー６を上記第１パネル１１の表面に取り付けることもできる。また、棚１１ａを構成し、この棚１１ａ上側のパネル面にモバイル機器用のコンセント７を配置することもできる。
【００２２】
また、図８に示す間仕切り構造１００Ｄは、図２に示した間仕切り構造１００Ａに近似した構造であるが、上記カウンター３２等の奥端が第２空間２に及んでおり、上記カウンター３２の奥端側には、上下方向に開けられて上記第２空間２と第３空間３とを連通させる開口部５０が形成されている。また、上記第１パネル１１には、水平方向に開けられて上記第２空間２と第３空間３とを連通させる開口部５１が形成されている。このような開口部５０、５１が設けられていると、例えば、上記第３空間３を利用してテレビジョンモニタ６０およびレコーダー６１などを配置するときに、上記テレビジョンモニタ６０とおよびレコーダー６１とを接続するコード６２を上記開口部５０、５１に通して上記クローゼットの側から取り回すことができ、機器接続の容易化と上記第３空間３側の見た目のすっきり感を得ることが可能になる。なお、上記第２空間２側に取り回されたコードをカバーなどで覆うこととしてもよい。
【００２３】
上記カウンター３２、３３により構成される棚の奥側に背板を設けずに開口部５２を形成しておいてもよい。また、背板をパンチングメタルなどとすることで開口部を形成してもよい。このような開口部５２は上記レコーダー６１などの機器から出る熱がクローゼット側に放熱されるという作用も得られる。
【００２４】
上記間仕切り構造１００Ｄでは、ｄ１＝６１０ｍｍ、ｄ２＝３００ｍｍの組み合わせを基本とし、上記カウンター３２、３３による棚の部分のみ、ｄ２＝４５５ｍｍとして第２空間に突出するのが望ましい。もちろん、このような突出のない構造も採用できる。
【００２５】
このように、上記間仕切り構造１００，１００Ａ，１００Ｂ，１００Ｃ，１００Ｄは、隣接する二部屋の間に、上側に位置して一方の部屋１０１の使用対象となる第１空間１と、上記第１空間１の下方に位置して上記一方の部屋１０１の使用対象となる第２空間２と、上記第１空間１の下方に位置して他方の部屋１０２の使用対象となる第３空間３と、が少なくとも形成されているので、上記第２空間２と上記第３空間３のうちの一方の空間の奥行きを大きくして他方の空間の奥行きを小さくしたり、さらには上記第１空間１の縦寸法を大きくして上記第２、第３空間２、３の縦寸法を小さくするなどにより、隣接する二部屋の間の空間を高い自由度で仕切って各部屋の側から使い分けることができる。
【００２６】
また、上記隣接する二部屋１０１、１０２を仕切って上記第２空間２と上記第３空間３を形成する第１パネル１１と、上記第１パネル１１の上端に位置して上記第１空間１の床部を形成する第２パネル１２と、上記第２パネル１２の縁側に設けられて上記第１空間１の奥壁となる第３パネル１３と、を有する構造であると、上記３つの空間１、２、３を容易に構築できるとともに、上記第１パネル１１の配置によって、上記第２空間２と上記第３空間３のうちの一方の空間の奥行きを大きくして他方の空間の奥行きを小さくすることが簡単に行えることになる。
【００２７】
また、上記第１空間１と第２空間２とによってクローゼットを構成すると、奥行きの深い収納箱を上記第１空間１に収納し、奥行きの狭い収納箱を上記第２空間２の床上に収納し、さらに上記２空間２の上部側にハンガーパイプ２１を設けてハンガー掛けに利用することができる。なお、上記のように第１空間１と第２空間２を利用してクローゼットを構成する場合に、上記部屋１０１をウォークインクローゼットとし、その出入り口に折戸等を設ける構造、或いはウォークスルークローゼットとし、その出入り口に扉等を設ける構造も採用できる。
【００２８】
また、上記間仕切り構造１００Ｂのように、他方の部屋１０２をトイレルームとし、上記第３空間３によって壁面と便器４との間に空間を形成すると、便器４を利用する人の一方の半身側に圧迫感を与えないようにできる。これにより、比較的狭い空間をトイレルームとして利用することが容易になる。
【００２９】
また、上記間仕切り構造１００Ｄのように、上記第２空間２と上記第３空間３を連通させる１または複数の開口部５０、５１、５２等を有すると、これら開口部を用いた様々な利点を享受することができる。
【００３０】
また、上記の例では同一住宅の隣接する部屋１０１、１０２を例に説明したが、集合住宅における隣接住戸で隣接する部屋を対象として上記間仕切り構造１００、１００Ａ、１００Ｂ、１００Ｃなどを採用することも可能である。
【００３１】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００３２】
１      第１空間
２      第２空間
３      第３空間
４      便器
５      ホームコントローラー
６      コントローラー
１１    第１パネル
１１ａ  棚
１２    第２パネル
１３    第３パネル
２１    ハンガーパイプ
２２    折戸
１００  １００Ａ  １００Ｂ  １００Ｃ  間仕切り構造
１０１  部屋
１０２  部屋
【図１】
2014066106.tif 000003
【図２】
2014066106.tif 000004
【図３】
2014066106.tif 000005
【図４】
2014066106.tif 000006
【図５】
2014066106.tif 000007
【図６】
2014066106.tif 000008
【図７】
2014066106.tif 000009
【図８】
2014066106.tif 000010